【手続補正書】
【提出日】平成20年3月21日(2008.3.21)
【手続補正１】
【補正対象書類名】明細書
【補正対象項目名】特許請求の範囲
【補正方法】変更
【補正の内容】
【特許請求の範囲】  
【請求項１】  無線周波数ビームを反射するための同調可能インピーダンス面であって、
（ａ）接地平面と、
（ｂ）前記接地平面から所定の距離だけ離れてアレイ内に配置された複数の素子であって、前記所定の距離が無線周波数ビームの波長より短いところの複数の素子と、
（ｃ）前記アレイ内の隣接素子のうちの少なくとも選択された素子間のキャパシタンスを制御可能に変化させるためのコンデンサ装置と
を備える同調可能インピーダンス面。
【請求項２】  前記コンデンサ装置が、第１の記述したアレイ内に配列された素子に関連するディスクリート可変キャパシタンス素子のアレイを備える、請求項１に記載の同調可能インピーダンス面。
【請求項３】  前記コンデンサ装置が、隣接素子間に接続された複数の微小電気機械コンデンサを備える、請求項１に記載の同調可能インピーダンス面。
【請求項４】  前記コンデンサ装置が、隣接素子間に接続された複数のバリアックを備える、請求項１に記載の同調可能インピーダンス面。
【請求項５】  前記素子のうちの約半分の素子が、前記接地平面、前記複数の素子及び前記コンデンサ装置を支持する基板内でバイアによって前記接地平面に直接的またはオーム抵抗的に接続されており、そして／または、前記接地平面に直接またはオーム抵抗的に接続されていない素子が、そこに制御電圧を印加するためのデータバスに接続されており、そして／または、前記データバスに接続されている前記素子が、前記接地平面に容量的に接続されており、もって、前記無線周波数ビームの１つまたは複数の周波数に対して効果的な短絡を発生させる、請求項１から４のいずれか一項に記載の同調可能インピーダンス面。
【請求項６】  前記素子のうちの半分未満の素子が、前記接地平面に直接的またはオーム抵抗的に接続されており、前記素子のうちの半分を越える素子が、そこに制御電圧を印加するためのデータバスに接続されている、請求項１から４のいずれか一項に記載の同調可能インピーダンス面。
【請求項７】  データバスに接続されている前記素子が、前記接地平面に容量的に接続されており、前記無線周波数ビームの１つまたは複数の周波数に対して効果的な短絡を発生させ、そして／または、前記素子のうちのすべての素子が、そこに制御電圧を印加するためのデータバスに接続されており、そして／または、前記素子が、前記接地平面に容量的に接続されて、前記無線周波数ビームの１つまたは複数の周波数に対して効果的な短絡を発生させる、請求項５または６に記載の同調可能インピーダンス面。
【請求項８】  前記コンデンサ装置が、前記接地平面から第２の距離を有してアレイ内に配列された第２の複数の素子を備え、前記第２の複数の素子が前記第１の複数の素子に対して移動可能であり、そして／または、前記第１の複数の素子および前記第２の複数の素子が、並列の平面アレイ内に配置されており、そして／または、前記第１の複数の素子および前記第２の複数の素子が、誘電層によって分離されており、そして／または、前記第１の複数の素子および前記第２の複数の素子が、前記誘電層に接しており、そして／または、前記第１の複数の素子が前記誘電層に対して固定され、そして、前記第２の複数の素子が前記誘電層に対して移動可能である、請求項１に記載の同調可能インピーダンス面。
【請求項９】  第１および第２の主要面をさらに有し、前記基板が、その前記第１の主要面上で前記接地平面を支持し、そして、その前記第２の主要面上で前記複数の素子を支持しており、そして／または、前記コンデンサ装置が、前記複数の素子のインピーダンスを空間的に同調するように、調整可能であり、そして／または、前記複数の素子が、それぞれ、前記無線周波数ビームの波長より短い外径を有しており、そして／または、前記コンデンサ装置が、すべての隣接素子間のキャパシタンスを制御可能に変化させる、請求項１乃至８のいずれか一項に記載の同調可能インピーダンス面。
【請求項１０】  無線周波数信号を反射するため高インピーダンス面を同調する方法であって、
伝導性の背面と実質的に平行で、且つ、前記伝導性の背面から間隔を置いて配列されたアレイ内に、実質的に離隔された複数の伝導面を配置する工程と、
前記アレイ内の隣接する伝導面のうちの少なくとも選択した面間のキャパシタンスを変化させ、それによって、前記高インピーダンス面のインピーダンスを同調する工程と
を含む方法。
【請求項１１】  前記アレイ内の隣接する伝導面間のキャパシタンスを変化させる工程が、隣接する伝導面のうちの少なくとも選択した面間に微小電気機械コンデンサを接続することを含む、請求項１０に記載の方法。
【請求項１２】  隣接する伝導面のうちの少なくとも選択した面間のキャパシタンスを変化させる工程が、前記伝導面のうちの少なくとも選択した面に制御電圧を印加することを含む、請求項１０または１１に記載の方法。
【請求項１３】  伝導面の主要軸に沿ったそれぞれの伝導面のサイズが、前記無線周波数信号の波長より短く、好ましくは、前記無線周波数信号の波長の１０分の１より短く、それぞれの伝導面の、背面からの間隔が、前記無線周波数信号の波長より短い、請求項１０から１２のいずれか一項に記載の方法。
【請求項１４】  前記高インピーダンス面を同調して、放物型反射位相関数が前記高インピーダンス面に加えられ、そして／または、前記放物型位相関数がその中で２πの不連続性を有している、請求項１０から１３のいずれか一項に記載の方法。
【請求項１５】  前記高インピーダンス面を同調して、線形反射位相関数が前記高インピーダンス面に加えられ、そして／または、前記線形位相関数がその中で２πの不連続性を有している、請求項１０から１３のいずれか一項に記載の方法。
【請求項１６】  前記伝導面が実質的に平面状であり、そして、前記アレイが実質的に平面状である、請求項１０から１３のいずれか一項に記載の方法。
【請求項１７】  前記第１のアレイ内の隣接する伝導面のうちの少なくとも選択した面間のキャパシタンスを変換させる前記工程が、
前記伝導性の背面と実質的に平行に配置され、且つ、前記第１の実質的に離隔された複数の伝導面が前記伝導性の背面から間隔を置いた距離より大きい距離をもって、前記伝導性の背面から離された第２のアレイ内に、第２の実質的に離隔された複数の伝導面を配置する工程と、
前記第１の実質的に離隔された複数の伝導面に対して、前記第２の実質的に離隔された複数の伝導面を移動する工程と
を含む、請求項１０に記載の方法。
【請求項１８】  前記第１の実質的に離隔された複数の伝導面に対して、前記第２の実質的に離隔された複数の伝導面を移動する工程が、前記アレイに対して実質的に平行な平面内における回転運動を含み、そして／または、伝導面の主要軸に沿ったそれぞれの伝導面のサイズが、前記無線周波数信号の波長より短く、好ましくは、前記無線周波数信号の波長の１０分の１より短く、そして、前記第１の複数の面のそれぞれの伝導面の、背面からの間隔が、前記無線周波数信号の波長より短く、そして／または、前記高インピーダンス面を同調して、線形反射位相関数が前記高インピーダンス面に加えられ、そして／または、前記線形位相関数がその中で２πの不連続性を有する、請求項１７に記載の方法。
【請求項１９】  前記伝導面が実質的に平面状であり、そして、前記アレイが実質的に平面状である、請求項１０から１８のいずれか一項に記載の方法。
【請求項２０】  前記キャパシタンスが、すべての隣接素子間で変化する、請求項１０から１９のいずれか一項に記載の方法。
【請求項２１】  前記高インピーダンス面が、前記無線周波数信号を操縦しかつ／または焦点合わせをする、請求項１０から２０のいずれか一項に記載の方法。
【請求項２２】  無線周波数ビームを反射するための同調可能インピーダンス面であって、
（ａ）前記無線周波数ビームの波長より短い厚さを有する誘電材料から形成された第１の基板と、
（ｂ）前記第１の基板の第１の主要な面上に配列された伝導性の背面と、
（ｃ）前記第１の基板の第２の主要な面上のアレイ内に配列された第１の複数の素子であって、前記第１の複数の素子のそれぞれの素子が前記無線周波数ビームの波長より短い外形寸法を有するところの第１の複数の素子と、
（ｄ）前記無線周波数ビームの波長より短い厚さを有する誘電材料から形成された第２の基板であって、前記第１の基板に対して対向する関係で配列されたところの第２の基板と、
（ｅ）前記第２の基板上のアレイ内に配列された第２の複数の素子であって、前記第２の複数の素子のそれぞれの素子が前記無線周波数ビームの波長より短い外形寸法を有するところの第２の複数の素子とを備え、
（ｆ）前記第２の基板が、前記同調可能インピーダンス面のインピーダンスを制御可能に変化させるために、前記第１の基板に対して横方向に移動可能であることを特徴とする同調可能インピーダンス面。
【請求項２３】  衝突する無線周波数ビームを反射するための同調可能インピーダンス面であって、
（ａ）接地平面と、
（ｂ）前記接地平面から所定の距離だけ離れて平面的なアレイ内に配置された複数のディスクリート素子であって、前記所定の距離が無線周波数ビームの波長より短いところの複数の素子と、
（ｃ）前記平面的なアレイ内の前記複数の素子のうちの隣接素子間を接続し、前記平面的なアレイ内の前記複数の素子のうちの前記隣接素子間を接続するキャパシタンスを制御可能に変化させるための複数のコンデンサ装置と
を備える同調可能インピーダンス面。
【請求項２４】  前記複数のコンデンサ装置が、前記平面的なアレイ内の前記複数の素子のうちの前記隣接素子に接続された複数の微小電気機械コンデンサによって提供される、請求項２３に記載のインピーダンス面。
【請求項２５】  前記複数の素子は、平面的なアレイに配置され、そして、前記複数のコンデンサ装置は、空間的に同調され、これによって、同調可能な面が、放物面反射器を模倣して、反射波を焦点に向けて前方に操縦し、そして／または、
前記インピーダンス面は、更に複数のデータラインを備え、前記データラインは、前記接地平面を貫通すると共に、前記平面的なアレイ内の前記複数の素子のうちの選択された素子のいくつかに接続され、前記平面的なアレイ内の選択された素子の他のものは、前記接地平面に接続され、前記複数のデータラインは、前記データライン上のデータに応じて、前記平面的なアレイ内における前記複数のコンデンサ装置のキャパシタンスを調整可能に制御するところの、請求項２３に記載のインピーダンス面。